(57)【特許請求の範囲】
【請求項１】
第１面が開口し、かつ、前記第１面と対向する第２面に窓孔を有する箱状に形成された器具本体と、前記器具本体に取り付けられて前記第１面を塞ぐカバーと、透光性を有し、前記窓孔を塞ぐように前記器具本体に取り付けられているグローブと、前記器具本体内に収容されている点灯ユニットとを備え、
前記点灯ユニットは、１つ又は複数の光源と、前記光源に給電して点灯させる電源装置と、前記窓孔と対向する第１取付面に前記光源が取り付けられている取付板と、厚み方向において前記第１取付面と反対側の前記取付板の第２取付面に固定されている固定部材とを有し、
前記固定部材は、前記電源装置が取り付けられている取付部と、前記取付板の前記第２取付面に固定されている１つ又は複数の固定部と、１つ又は複数の前記固定部と前記取付部とを連結する１つ又は複数の連結部とを有し、１つ又は複数の前記連結部により、前記取付部と前記取付板の前記第２取付面との間に隙間を設けており、
前記電源装置は、前記取付部を挟んで前記取付板の前記第２取付面と対向することを特徴とする照明器具。
【請求項２】
前記点灯ユニットは、前記電源装置から前記１つ又は複数の光源への給電路となる電線を有し、前記電線は、前記取付板を貫通する貫通孔に挿通されて前記電源装置と前記１つ又は複数の光源とをそれぞれ電気的に接続していることを特徴とする請求項１記載の照明器具。
【請求項３】
前記点灯ユニットは、前記電源装置と熱的に結合している熱伝導部材を備え、前記熱伝導部材は、前記カバーと接触していることを特徴とする請求項１又は２記載の照明器具。
【発明の詳細な説明】
【技術分野】
【０００１】
本発明は、照明器具に関し、より詳細には、固体発光素子を光源とし、光源及び光源を点灯する電源装置が器具本体内に収容されている照明器具に関する。
【背景技術】
【０００２】
従来例として、特許文献１記載の照明器具を例示する。特許文献１記載の照明器具（以下、従来例という）は、本体部、上蓋部、ＬＥＤ発光部、電源ブロック、発光パネルなどを備えて道路照明に用いられる。本体部は、道路脇に立てられた照明用のポールから水平方向に突出するアームに支持されている。上蓋部は、下面にＬＥＤ発光部と電源ブロックが取り付けられ、本体部の上面を覆うように本体部に取り付けられている。発光パネルは、透光性を有し、本体部の下面に取り付けられ、ＬＥＤ発光部を覆いつつＬＥＤ発光部から放射される光を透過している。
【先行技術文献】
【特許文献】
【０００３】
【特許文献１】特開２０１１−２１０４６９号公報
【発明の概要】
【発明が解決しようとする課題】
【０００４】
上記従来例は、ＬＥＤ発光部が発する熱と、電源ブロックが発する熱とを金属製の上蓋部に設けられている放熱フィンから放熱するように構成されている。しかしながら、光源（従来例におけるＬＥＤ発光部）と電源装置（従来例における電源ブロック）を支持する部材に放熱部材（従来例における放熱フィン）を設けることができない場合もある。この場合、支持部材を介して光源と電源装置との間で相互に熱が伝わることは好ましくない。
【０００５】
本発明は、上記課題に鑑みてなされており、光源と電源装置との間の熱伝導の抑制を図ることを目的とする。
【課題を解決するための手段】
【０００６】
本発明の照明器具は、第１面が開口し、かつ、前記第１面と対向する第２面に窓孔を有する箱状に形成された器具本体と、前記器具本体に取り付けられて前記第１面を塞ぐカバーと、透光性を有し、前記窓孔を塞ぐように前記器具本体に取り付けられているグローブと、前記器具本体内に収容されている点灯ユニットとを備え、前記点灯ユニットは、１つ又は複数の光源と、前記光源に給電して点灯させる電源装置と、前記窓孔と対向する第１取付面に前記光源が取り付けられている取付板と、厚み方向において前記第１取付面と反対側の前記取付板の第２取付面に固定されている固定部材とを有し、前記固定部材は、前記電源装置が取り付けられている取付部と、前記取付板の前記第２取付面に固定されている１つ又は複数の固定部と、１つ又は複数の前記固定部と前記取付部とを連結する１つ又は複数の連結部とを有し、１つ又は複数の前記連結部により、前記取付部と前記取付板の前記第２取付面との間に隙間を設けており、前記電源装置は、前記取付部を挟んで前記取付板の前記第２取付面と対向することを特徴とする。
【発明の効果】
【０００７】
本発明の照明器具は、光源と電源装置との間の熱伝導の抑制を図ることができるという効果がある。
【図面の簡単な説明】
【０００８】
【図１】本発明の実施形態１に係る照明器具を示し、図１Ａは正面図、図１Ｂは平面図、図１Ｃは下面図、図１Ｄは背面図、図１Ｅは右側面図である。
【図２】本発明の実施形態１に係る照明器具の分解斜視図である。
【図３】本発明の実施形態１に係る照明器具における器具本体の平面図である。
【図４】本発明の実施形態１に係る照明器具におけるアーム取付台座を示す斜視図である。
【図５】本発明の実施形態１に係る照明器具における点灯ユニットの正面図である。
【図６】本発明の実施形態１に係る照明器具において、１つのＬＥＤユニットのレンズを省略し、他の１つのＬＥＤユニットのレンズとホルダを省略した点灯ユニットの下面図である。
【図７】本発明の実施形態１に係る照明器具における点灯ユニットの右側面図である。
【図８】本発明の実施形態１に係る照明器具におけるアームを含む一部省略した断面斜視図である。
【図９】本発明の実施形態１に係る照明器具のカバーを省略した平面図である。
【図１０】本発明の実施形態１に係る照明器具の正面断面図である。
【図１１】本発明の実施形態１に係る照明器具の変形例の要部を示す断面図である。
【図１２】本発明の実施形態２に係る照明器具を示し、図１２Ａは背面図、図１２Ｂは左側面図、図１２Ｃは平面図、図１２Ｄは下面図である。
【図１３】本発明の実施形態２に係る照明器具の分解斜視図である。
【発明を実施するための形態】
【０００９】
以下、本発明の実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
（実施形態１）
本発明の実施形態１に係る照明器具Ｘ（以下、照明器具Ｘという）は、地面に立てられたポール（図示せず）の上端に取り付けられ、ポールの周囲の道路（車道や歩道）などを照明するための道路灯（あるいは街路灯）である。ただし、以下の説明においては、特に断りのない限り、図２において上下、左右、前後の各方向を規定する。つまり、ポールの軸方向（鉛直方向）を上下方向とし、アーム５の側を後、アーム５と反対側を前とする。
【００１１】
照明器具Ｘは、図１Ａ〜図１Ｅ及び図２に示すように、器具本体１、カバー２、点灯ユニット３、グローブ４、アーム５などを備えている。器具本体１は、アルミ又はアルミ合金などの金属材料により、上面（第１面）が開口した箱状に形成されている。より詳細には、器具本体１は、椀（bowl）状に形成されている。また、器具本体１は、図２及び図３に示すように、底面（第２面）に開口した円形の窓孔１０と、窓孔１０の周囲を全周に渡って囲む周壁１１と、周壁１１の内周面から内向き、かつ、階段状に突出している第１段部１２及び第２段部１３とを備えている。第１段部１２は、周壁１１の上下方向におけるほほ中央に在り、上から見て円環状に形成されている。第２段部１３は、第１段部１２の内側に在り、上から見て円環状に形成されている。また、第２段部１３は、第１段部１２の下に配置されている。つまり、第２段部１３の内周縁は、上から見て窓孔１０の周縁と繋がっている。なお、第１段部１２及び第２段部１３は、いずれも窓孔１０の開口面（窓孔１０の周縁を含む仮想の平面）とほぼ平行かつ平坦に形成されている。
【００１２】
第１段部１２は、複数（図示例では６つ）の雌ねじ部１２０が周方向に沿ってほぼ等間隔に並ぶように設けられている。なお、これら６つの雌ねじ部１２０は、軸方向を上下方向に一致させて上向きに開口するように形成されている。
【００１３】
さらに、器具本体１は、周壁１１の上端面に複数（図示例では６つ）のボス１４が周方向に沿って等間隔に並ぶように設けられている。これら６つのボス１４は、軸方向を上下方向とする円柱状に形成され、軸方向に沿ったねじ孔１４０をそれぞれ有している。これらのねじ孔１４０は、ボス１４の上底面に上向きに開口している。
【００１４】
また、器具本体１は、アーム取付台座１５を備えている。アーム取付台座１５は、図４に示すように、周壁１１の後部において、周壁１１の外周面から突出する角錐台状に形成されている。また、アーム取付台座１５は、一対のボルト挿通孔１５０と、通線孔１５１とを有している。一対のボルト挿通孔１５０は、アーム取付台座１５及び周壁１１を貫通して円筒形状に形成されている。また、通線孔１５１は、一対のボルト挿通孔１５０の間において、アーム取付台座１５及び周壁１１を貫通して長円筒形状に形成されている（図２〜図４参照）。
【００１５】
カバー２は、図１Ｂ及び図２に示すように、上下方向から見た形状が円形であるカバー本体２０と、カバー本体２０の周縁から下向きに突出している突壁２１とを有している。また、カバー本体２０は、前後方向及び左右方向から見た形状が、上向きに凸となる弧状に形成されている（図１Ａ、図１Ｄ及び図１Ｅ参照）。なお、カバー２は、例えば、アルミ板などの金属板が絞り加工されることでカバー本体２０と突壁２１が一体に形成されている。
【００１６】
カバー本体２０の周縁近傍には、複数（図示例では６つ）の凹部２２が周方向に沿って等間隔に並ぶように設けられている（図１Ｂ及び図２参照）。さらに、これら６つの凹部２２の底に、それぞれ円形のねじ挿通孔２２０が設けられている。
【００１７】
カバー２は、突壁２１の先端（下端）を周壁１１の先端（上端）に向き合わせるようにして器具本体１の上に被せられている（図１Ａ、図１Ｄ及び図１Ｅ参照）。そして、カバー本体２０に設けられている６つのねじ挿通孔２２０にそれぞれ挿通される６本の固定ねじ２３が、器具本体１の６つのボス１４に設けられているねじ孔１４０にそれぞれねじ込まれている（図１Ｂ及び図２参照）。つまり、カバー２は、器具本体１の周壁１１にねじ止めされて器具本体１の上面（周壁１１の上端を含む仮想平面）の開口を覆っている。ただし、器具本体１の周壁１１とカバー２の突壁２１との間に、シリコーンゴムなどで円環状に形成されている防水パッキン（図示せず）が配置され、周壁１１と突壁２１の間の隙間から器具本体１内への雨水の浸入が防止されることが好ましい。
【００１８】
グローブ４は、グローブ本体４０と外鍔部４１を有している。グローブ本体４０と外鍔部４１は、透光性を有する材料（例えば、ポリカーボネート樹脂）で一体に形成されていることが好ましい（図２参照）。ただし、グローブ４を形成する透光性材料は、アクリル樹脂やガラスなどでも構わない。グローブ本体４０は、上下方向から見た形状が円形であり、前後方向及び左右方向から見た形状が下向きに凸となる弧状に形成されている透光部４００と、透光部４００の周縁から上向きに突出した円筒形状の外周壁４０１とを有している。外鍔部４１は、グローブ本体４０の外周壁４０１の上端から全周に渡って外向きに突出した円環状に形成されている。また、外鍔部４１は、シリコーンゴム製の防水パッキン４２が装着されている。この防水パッキン４２は、上下方向から見て円環状に形成されている。防水パッキン４２は、内周面に全周に渡って形成されている溝４２０（図２参照）に外鍔部４１がかん合されている。
【００１９】
点灯ユニット３は、図２及び図５〜図７に示すように、複数（図示例では４つ）のＬＥＤユニット３０、取付板３１、電源ユニット３２などを有している。なお、以下の説明では、図６において、左上のＬＥＤユニット３０を第１ＬＥＤユニット３０Ａと呼び、右上のＬＥＤユニット３０を第２ＬＥＤユニット３０Ｂと呼ぶ場合がある。同じく、左下のＬＥＤユニット３０を第３ＬＥＤユニット３０Ｃと呼び、右下のＬＥＤユニット３０を第４ＬＥＤユニット３０Ｄと呼ぶ場合がある。ただし、４つのＬＥＤユニット３０（第１ＬＥＤユニット３０Ａ、第２ＬＥＤユニット３０Ｂ、第３ＬＥＤユニット３０Ｃ及び第４ＬＥＤユニット３０Ｄ）は、全て同一の構造を有している。
【００２０】
ＬＥＤユニット３０は、図６に示すように、ＬＥＤモジュール３００、ホルダ３０１、レンズ３０２、絶縁カバー３０３、取付台３０４などを備えている。ただし、図６においては、第２ＬＥＤユニット３０Ｂ及び第４ＬＥＤユニット３０Ｄのレンズ３０２と、第４ＬＥＤユニット３０Ｄのホルダ３０１の図示が省略されている。
【００２１】
ＬＥＤモジュール３００は、矩形板状のセラミックス製のパッケージ３０００の表面に円板状の発光部３００１を備えている（図６における第４ＬＥＤユニット３０Ｄ参照）。発光部３００１は、パッケージ３０００の表面に実装されている多数のＬＥＤチップ（図示せず）がシリコーン樹脂などの透光性を有する封止樹脂で封止されて構成されている。多数のＬＥＤチップは、例えば、青色光を放射する青色ＬＥＤチップである。ＬＥＤモジュール３００は、これらのＬＥＤチップから放射される青色光の一部を、封止樹脂に混入されている蛍光体で黄色光に波長変換し、青色光と黄色光の混色により、発光部３００１から白色光を放射するように構成されている。また、パッケージ３０００の端部には一対の端子台３００２が実装されている。これら一対の端子台３００２は、パッケージ３０００の表面に形成されている一対の電極（アノード電極とカソード電極）にそれぞれ各別かつ電気的に接続されている。そして、各端子台３００２には、それぞれ給電用の電線３０５が電気的に接続されている（図６参照）。ただし、電線３０５は、端子台３００２を介さずに、一対の電極（アノード電極とカソード電極）に直接接続されても構わない。
【００２２】
ＬＥＤモジュール３００は、絶縁カバー３０３を介して取付台３０４に取り付けられている。取付台３０４は、アルミ板又はアルミ合金板によって多角形（図示例では８角形）状に形成されている。絶縁カバー３０３は、電気絶縁性を有する合成樹脂材料によって矩形の枠状に形成され、内側にＬＥＤモジュール３００が嵌め込まれている（図６における第４ＬＥＤユニット３０Ｄ参照）。ホルダ３０１は、電気絶縁性を有する合成樹脂材料によって、おおよそ５角形の板状に形成されている。ホルダ３０１は、厚み方向に貫通する貫通孔３０１０を有している。この貫通孔３０１０は、内周面が円錐台状に形成されている。ホルダ３０１は、絶縁カバー３０３との間でＬＥＤモジュール３００を挟み込むようにして、取付台３０４にねじ止めされている（図６における第２ＬＥＤユニット３０Ｂ参照）。なお、ＬＥＤユニット３０の発光部３００１は、ホルダ３０１の貫通孔３０１０を通して露出している。レンズ３０２は、例えば、ポリカーボネート樹脂やアクリル樹脂などの透光性を有する合成樹脂材料により、おおよそ半楕円体形状に形成されている。また、レンズ３０２は、長軸方向の両端からＬ字形の脚３０２０が外向きに突出している（図５〜図７参照）。これら一対の脚３０２０には、厚み方向に貫通する挿通孔が形成されている。レンズ３０２は、ＬＥＤユニット３０の厚み方向（上下方向）から見て発光部３００１を覆うようにして、一対の脚３０２０の挿通孔に挿通されているねじ３０６で取付台３０４にねじ止めされている（図５〜図７参照）。ただし、レンズ３０２は、短軸方向における後端側（電線３０５が引き出されている側）に凹み３０２１が形成されている（図６における第３ＬＥＤモジュール３０Ｃ参照）。この凹み３０２１により、ホルダ３０１の貫通孔３０１０の内周面の一部に反射した発光部３００１の光がレンズ３０２に入射せずに後方へ出射される。
【００２３】
取付板３１は、アルミ又はアルミ合金の板材によって、おおよそ円板状に形成されている。なお、以下の説明では、取付板３１の２つの表面のうち、ＬＥＤユニット３０が取り付けられている表面を第１取付面３１０（図６参照）と呼び、電源ユニット３２が取り付けられている表面を第２取付面３１１（図２参照）と呼ぶ。取付板３１の端縁の近傍には、６つのねじ挿通孔３１３が周方向に沿って間隔を空けて貫通している（図２及び図６参照）。
【００２４】
４つのＬＥＤユニット３０は、取付板３１の第１取付面３１０の中央に、縦方向（前後方向）及び横方向（左右方向）にそれぞれ２列ずつに並べて取り付けられている。なお、４つのＬＥＤユニット３０は、それぞれ取付台３０４がねじ止めされて取付板３１に固定されている（図６参照）。また、取付板３１は、４つのＬＥＤユニット３０が有している１対の電線３０５がそれぞれ各別に挿通される、４つの貫通孔３１２を備えている（図６参照）。つまり、４対の電線３０５は、それぞれ取付板３１の第１取付面３１０側から貫通孔３１２に挿通されて第２取付面３１１側へ引き出されている。
【００２５】
ここで、取付板３１の第１取付面３１０において、第１ＬＥＤユニット３０Ａと第２ＬＥＤユニット３０Ｂの後方、並びに第３ＬＥＤユニット３０Ｃと第４ＬＥＤユニット３０Ｄの後方に、それぞれ反射部材３３が配置されている（図５〜図７参照）。これら２つの反射部材３３は、図５〜図７に示すように、長尺の反射板３３０と、反射板３３０の長手方向に沿った一方の端から反射板３３０の厚み方向に沿って突出する固定片３３１とを有している。反射板３３０は、短手方向に沿って弧状に湾曲している（図７参照）。また、反射板３３０は、長手方向の長さを、ＬＥＤユニット３０の取付台３０４の長手方向の長さの２倍よりも短くしないように形成されている（図６参照）。なお、反射板３３０と固定片３３１は、例えば、アルミ板の打ち抜き加工及び曲げ加工により、一体に形成されることが好ましい。そして、これら２つの反射部材３３は、固定片３３１の長手方向の両端と中央がねじ止めされて取付板３１にそれぞれ固定されている（図６参照）。
【００２６】
電源ユニット３２は、図２に示すように、電源装置３２０、制御装置３２１、固定部材３２２を有している。電源装置３２０は、４つのＬＥＤユニット３０に直流電力を給電する電源回路（図示せず）と、電源回路を内部に収容している金属製の第１ケース３２００とを備えている。電源回路は、例えば、商用の電力系統から供給される交流電圧・交流電流を整流する整流器、整流器で整流された脈流電圧・脈流電流を直流電圧・直流電流に変換するＤＣ／ＤＣコンバータなどを有している。また、電源回路は、交流電圧・交流電流の電路となる電源線（図示せず）と電気的に接続される入力端子台、ＤＣ／ＤＣコンバータの出力端を、４つのＬＥＤユニット３０の電線３０５とそれぞれ電気的に接続する出力端子台なども有している。電源回路は、１枚又は複数枚のプリント配線板に、整流器やＤＣ／ＤＣコンバータを構成する回路部品、並びに入力端子台、出力端子台などが実装されて構成されている。なお、電源回路は、外部から交流電圧・交流電流が供給されているときに動作して直流電圧・直流電流を出力し、外部から交流電圧・交流電流が供給されないときに停止している。例えば、電源回路は、光電式自動点滅器（図示せず）を介して電力系統から交流電圧・交流電流が供給され、周囲の明るさが光電式自動点滅器の動作照度の範囲内である時間帯（例えば、日の入りから日の出までの時間帯）に動作するように構成されている。
【００２７】
制御装置３２１は、電源装置３２０の電源回路を制御する制御回路（図示せず）と、制御回路を内部に収容している金属製の第２ケース３２１０とを備えている。制御回路は、例えば、ＤＣ／ＤＣコンバータを制御して段調光とタイマ制御を行うように構成されている。つまり、制御回路は、点灯開始時点（外部から交流電圧・交流電流の供給が開始された時点）からの経過時間を内蔵タイマで経時している。そして、経過時間が調光開始時間に達すると、制御回路は、電源回路のＤＣ／ＤＣコンバータを制御して電源装置３２０の出力電流の電流値を定格値よりも小さくして段調光を行う。なお、制御回路は、外部から交流電圧・交流電流の供給が停止すると電源回路とともに動作を停止し、内蔵タイマによる経過時間の経時もリセット（初期化）される。ただし、上述した制御回路の制御動作は一例に過ぎず、例えば、外付けのタイムスイッチ（図示せず）から入力される制御信号に応じて、制御回路が段調光を行っても構わない。制御回路は、１枚又は複数枚のプリント配線板（図示せず）に、制御用の集積回路や制御電源回路、電源回路への制御信号を出力するための信号端子台、段調光のレベルや調光開始時間を設定するための切替スイッチなどが実装されて構成されている。なお、制御回路は、電源回路と同様に、外部から交流電圧・交流電流が供給されているときに動作し、外部から交流電圧・交流電流が供給されないときに停止している。
【００２８】
固定部材３２２は、図２、図５及び図７に示すように、第１取付部３２２０、一対の固定部３２２１、一対の連結部３２２２、第２取付部３２２３並びに立壁部３２２４を有している。第１取付部３２２０は、長尺の矩形板状に形成されている。一対の固定部３２２１は、長手方向の長さが第１取付部３２２０の短手方向の長さに等しい、幅細の矩形板状にそれぞれ形成されている。なお、一対の固定部３２２１は、長手方向の両端近くに、それぞれ貫通孔（図示せず）が設けられている。一対の連結部３２２２は、長手方向の長さが第１取付部３２２０の短手方向の長さに等しい、幅細の矩形板状にそれぞれ形成されている。そして、一対の連結部３２２２は、長手方向に沿った一端において、第１取付部３２２０の短手方向に沿った一端と連結され、長手方向に沿った他端において、一対の固定部３２２１の長手方向に沿った一端と各別に連結されている。立壁部３２２４は、長手方向の長さが第１取付部３２２０の長手方向の長さに等しい、矩形板状に形成されている。立壁部３２２４は、第１取付部３２２０の長手方向に沿った一端から、連結部３２２２と反対の方向へ立ち上がっている。第２取付部３２２３は、長手方向の長さが第１取付部３２２０の長手方向の長さに等しい、矩形板状に形成されている。第２取付部３２２３は、立壁部３２２４の長手方向に沿った先端から第１取付部３２２０と反対の方向へ突出している。なお、第１取付部３２２０、一対の固定部３２２１、一対の連結部３２２２、第２取付部３２２３並びに立壁部３２２４は、例えば、亜鉛めっき鋼板などの金属板が打ち抜き加工及び曲げ加工されて一体に形成されることが好ましい。
【００２９】
第１取付部３２２０に電源装置３２０が取り付けられている。電源装置３２０は、第１ケース３２００に設けられている一対の突片３２０１が第１取付部３２２０にねじ止めされている（図２及び図５参照）。ただし、第１ケース３２００と第１取付部３２２０との間には、電気絶縁性を有する熱伝導シート３２３が挟み込まれている（図２参照）。また、第２取付部３２２３に制御装置３２１が取り付けられている。制御装置３２１は、第２ケース３２１０に設けられている一対の突片３２１１が第２取付部３２２３にねじ止めされている（図２及び図５参照）。
【００３０】
一対の固定部３２２１は、両端の貫通孔にそれぞれ挿通されるねじが、取付板３１に設けられているねじ孔（図示せず）にねじ込まれることにより、取付板３１にねじ止めされている。ここで、固定部材３２２は、取付板３１の第２取付面３１１に取り付けられた状態において、一対の連結部３２２２により、第１取付部３２２０と取付板３１（の第２取付面３１１）との間に隙間ＳＳが設けられている（図５参照）。すなわち、第１取付部３２２０と取付板３１との間に隙間ＳＳが設けられていることにより、第１取付部３２２０と取付板３１（の第２取付面３１１）との間に空気層が形成される。そのため、第１取付面３１０に取り付けられている４つのＬＥＤユニット３０から発せられる熱は、固定部材３２２（特に第１取付部３２２０）に伝わり難くなっている。なお、第１取付部３２２０は、一対の固定部３２２１及び連結部３２２２を介して取付板３１と熱的に結合されている。しかしながら、固定部材３２２が、取付板３１を形成する金属材料（例えば、アルミ）よりも熱伝導率の十分に小さい金属材料（例えば、鋼板）で形成されていれば、取付板３１から第１取付部３２２０への熱の伝わりを抑制することができる。
【００３１】
また、取付板３１に設けられている４つの貫通孔３１２は、固定部材３２２の第１取付部３２２０によって上から覆い隠されている。しかしながら、貫通孔３１２から第２取付面３１１側に引き出されている電線３０５は、第１取付部３２２０と取付板３１との間に設けられている隙間ＳＳに通されて電源装置３２０（の出力端子台）と電気的に接続されることができる。
【００３２】
アーム５は、器具本体１に固定される第１固定部５０と、ポールに固定される第２固定部５１とを有している（図１Ｅ及び図２参照）。なお、第１固定部５０と第２固定部５１は、アルミダイカストによって一体に形成されることが好ましい。第２固定部５１は、円筒形状に形成されている。第２固定部５１は、径方向（厚み方向）に貫通する複数（図示例では４つ）のねじ孔５１０が設けられている（図１Ｄ参照）。第２固定部５１は、ポールの先端に設けられている小径部分（図示せず）に上から被せられ、４つのねじ孔５１０にねじ込まれたねじの先端がポールの小径部分に当たることによってポールに固定されている。ここで、第２固定部５１内には、電線固定部材５２が収容されている。電線固定部材５２は、長尺の矩形平板状に形成されている。電線固定部材５２は、図１Ｄ及び図１Ｅに示すように、後面に複数（図示例では４つ）のケーブル固定具５２０がねじ止めされている。電線固定部材５２の上部にねじ止めされている２つのケーブル固定具５２０のうちの一方のケーブル固定具５２０には、電源装置３２０に交流電圧・交流電流を入力するための一対の電線（図示せず）が固定されている。なお、この一対の電線は口出し線と呼ばれる。そして、電線固定部材５２の上部にねじ止めされている２つのケーブル固定具５２０のうちの他方のケーブル固定具５２０には、制御装置３２１に外付けのタイムスイッチを接続するための信号線（図示せず）が固定されている。さらに、電線固定部材５２の下部にねじ止めされている２つのケーブル固定具５２０のうちの一方のケーブル固定具５２０には、ポール内に立上げ配線されている電源線（図示せず）が固定されている。なお、この電源線は、口出し線と電気的に接続されている。また、電線固定部材５２の下部にねじ止めされている２つのケーブル固定具５２０のうちの他方のケーブル固定具５２０には、外付けのタイムスイッチに接続されている信号線（調光線）が固定されている。なお、この調光線（図示せず）は、信号線と電気的に接続されている。
【００３３】
第１固定部５０は、第２固定部５１の上部から前方へ突出している。第１固定部５０は、概ね三角柱状に形成されている。また、第１固定部５０は、上面が開口されている。なお、第１固定部５０の上面の開口は、取り外し可能な蓋５３によって塞がれている（図１Ｂ及び図２参照）。第１固定部５０の前端には、器具本体１のアーム取付台座１５とかん合する凹所５００が設けられている（図２参照）。さらに、凹所５００の底には、図２に示すように、複数（図示例では２つ）の雌ねじ部５０１と、電線挿通孔５０２とが設けられている。２つの雌ねじ部５０１は、凹所５００の底から前方へ斜め上向きに突出する円筒状の突起（ボス）の内周面に形成されている。なお、これら２つの雌ねじ部５０１は、凹所５００の底において左右方向に間隔を空けて設けられている。電線挿通孔５０２は、２つの雌ねじ部５０１の間において、凹所５００の底を貫通して長円筒形状に形成されている（図２参照）。
【００３４】
２つの雌ねじ部５０１は、図８に示すように、器具本体１のアーム取付台座１５に第１固定部５０がかん合されている状態において、器具本体１の一対のボルト挿通孔１５０と各別に繋がっている。したがって、一対のボルト挿通孔１５０に挿通される２つのボルト１５２が２つの雌ねじ部５０１に各別にねじ込まれることにより、アーム５の第１固定部５０が器具本体１のアーム取付台座１５にねじ止めされて固定されている。また、第１固定部５０がアーム取付台座１５に固定された状態において、アーム取付台座１５の通線孔１５１と第１固定部５０の電線挿通孔５０２とが繋がっている。そして、電源装置３２０から引き出されている口出し線及び制御装置３２１から引き出されている信号線は、通線孔１５１と電線挿通孔５０２に挿通されて第２固定部５１内に引き込まれている。
【００３５】
ここで、ボルト挿通孔１５０及び雌ねじ部５０１は、器具本体１（の上部）の上面の法線（上下方向の直線）に対して、ボルト１５２が差し込まれる向きをゼロより大きく、直角よりも小さい角度φに傾けて設けられている（図８参照）。なお、この角度φは、３５°〜４５°程度が好ましい。
【００３６】
次に、照明器具Ｘの組立手順を説明する。まず、組立作業を行う作業者は、取付板３１の第１取付面３１０に４つのＬＥＤユニット３０を取り付けるとともに、取付板３１の第２取付面３１１に電源ユニット３２を取り付けることで点灯ユニット３を組み立てる。それから、作業者は、防水パッキン４２の溝４２０に外鍔部４１を挿入してグローブ４に防水パッキン４２を装着する。さらに、作業者は、器具本体１の上からグローブ本体４０を窓孔１０に挿入し、防水パッキン４２で覆われている外鍔部４１を第２段部１３の上に載せた後、点灯ユニット３の取付板３１を第１段部１２の上に載せる（図９及び図１０参照）。このとき、取付板３１に設けられている６つのねじ挿通孔３１３と、第１段部１２に設けられている６つの雌ねじ部１２０とが、上下方向に沿って各別に繋がる。そして、作業者は、取付板３１の６つのねじ挿通孔３１３に、それぞれ上からねじ（図示せず）を挿通し、それら６本のねじを６つの雌ねじ部１２０にそれぞれねじ込むことで取付板３１を器具本体１に取り付ける。このとき、グローブ４は、外鍔部４１が防水パッキン４２を介して取付板３１と器具本体１の第２段部１３との間に挟み込まれて器具本体１に取り付けられる（図１０参照）。
【００３７】
続いて、作業者は、上述したように、２本のボルト１５２を用いて、アーム５の第１固定部５０を器具本体１のアーム取付台座１５に固定する。ここで、ボルト挿通孔１５０にボルト１５２が差し込まれる向きが、器具本体１の上面の法線に対して角度φに傾けられている。そのため、工具を使ってボルトを締め付ける際、器具本体１内に作業者の手を入れる必要がなく、作業性の向上が図られている。なお、角度φがゼロ、つまり、ボルト挿通孔１５０にボルト１５２が差し込まれる向きが器具本体１の上面の法線方向に一致する場合、アーム５の雌ねじ部５０１の長さを確保するために第１固定部５０が大きくなってしまう可能性がある。これに対して、角度φがゼロより大きく、直角よりも小さい角度とされていれば、作業性の向上を図りつつ、アーム５の大型化を抑制することができる。
【００３８】
また、器具本体１において、取付板３１がねじ止めされる第１段部１２がボルト挿通孔１５０よりも下方に配置されている。そのため、器具本体１にアーム５が取り付けられる前に、器具本体１への点灯ユニット３の取付が可能となっている。したがって、器具本体１への点灯ユニット３の取付作業時にアーム５が邪魔にならず、組立の作業性の向上を図ることができる。
【００３９】
さらに、ボルト挿通孔１５０から離れた位置（取付板３１の中央）に電源ユニット３２が取り付けられているため、ボルト１５２の締め付け作業時に電源ユニット３２の電源装置３２０及び制御装置３２１が作業の邪魔になり難い。そのため、照明器具Ｘは、組立の作業性の更なる向上を図ることができる。
【００４０】
アーム５を取り付けた後、作業者は、器具本体１の周壁１１の上にカバー２を被せ、カバー本体２０の６つのねじ挿通孔２２０に、６本の固定ねじ２３をそれぞれ上から挿通し、器具本体１の６つのボス１４のねじ孔１４０に各別にねじ込んでカバー２を固定する。このようにして、器具本体１にカバー２が取り付けられると、照明器具Ｘの組立作業が完了する。
【００４１】
上述のように、作業者は、器具本体１に対して、点灯ユニット３、グローブ４及びカバー２の各部材を同一の向き（下向き）に組み立てていくことができる。つまり、作業者は、作業の途中で器具本体１の向きを反転させる必要がないので、例えば、器具本体の下からグローブが取り付けられる構造と比較して、組立の作業性の向上を図ることができる。
【００４２】
照明器具Ｘは、アーム５の第２固定部５１がポールの先端に固定されてポールに取り付けられている。４つのＬＥＤユニット３０は、ＬＥＤモジュール３００から放射される光の配光をレンズ３０２で制御し、かつ、レンズ３０２で制御しきれない一部の光（レンズ３０２の後方に出射する光）を反射板３３０で反射させている。その結果、照明器具Ｘは、建物の入り口などを照らすために前方への光量を増大させることができる。ただし、照明器具Ｘの配光特性は一例であって、ポールの周囲全体にほぼ均一の光量で照射したり、道路に沿ったポールの左右両側の光量を増大させるような配光特性であっても構わない。
【００４３】
上述のように照明器具Ｘは、第１面（上面）が開口し、かつ、第１面と対向する第２面（下面）に窓孔１０を有する箱状に形成された器具本体１と、器具本体１に取り付けられて第１面を塞ぐカバー２とを備えている。また、照明器具Ｘは、透光性を有し、窓孔１０を塞ぐように器具本体１に取り付けられているグローブ４と、器具本体１内に収容されている点灯ユニット３とを備えている。点灯ユニット３は、１つ又は複数の光源（ＬＥＤユニット３０）と、ＬＥＤユニット３０に給電して点灯させる電源装置３２０と、窓孔１０と対向する第１取付面３１０にＬＥＤユニット３０が取り付けられている取付板３１とを有している。また、点灯ユニット３は、厚み方向において第１取付面３１０と反対側の取付板３１の第２取付面３１１に固定されている固定部材３２２を有している。固定部材３２２は、電源装置３２０が取り付けられている取付部（第１取付部３２２０）と、取付板３１の第２取付面３１１に固定されている１つ又は複数の固定部３２２１とを有している。また、固定部材３２２は、１つ又は複数の固定部３２２１と第１取付部３２２０とを連結する１つ又は複数の連結部３２２２を有している。さらに、固定部材３２２は、１つ又は複数の連結部３２２２により、第１取付部３２２０と取付板３１の第２取付面３１１との間に隙間ＳＳを設けている。
【００４４】
照明器具Ｘが上述のように構成されれば、第１取付部３２２０と取付板３１との間に隙間ＳＳが設けられているので、第１取付部３２２０と取付板３１（の第２取付面３１１）との間に空気層が形成される。そのため、照明器具Ｘは、第１取付面３１０に取り付けられているＬＥＤユニット３０から発せられる熱を固定部材３２２に伝わり難くし、光源（ＬＥＤユニット３０）と電源装置３２０との間の熱伝導の抑制を図ることができる。
【００４５】
また、照明器具Ｘにおいて、点灯ユニット３は、電源装置３２０から１つ又は複数のＬＥＤユニット３０への給電路となる電線３０５を有することが好ましい。電線３０５は、取付板３１を貫通する貫通孔３１２に挿通されて電源装置３２０と１つ又は複数のＬＥＤユニット３０とをそれぞれ電気的に接続していることが好ましい。
【００４６】
照明器具Ｘが上述のように構成されれば、貫通孔３１２から第２取付面３１１側に引き出される電線３０５を、第１取付部３２２０と取付板３１との間の隙間ＳＳに通して電源装置３２０に電気的に接続することができる。したがって、照明器具Ｘは、第１取付部３２２０と取付板３１との間の隙間ＳＳを電線３０５の配線スペースに利用することができる。
【００４７】
ところで、電源装置３２０（の第１ケース３２００）とカバー２が熱的に結合されれば、電源装置３２０が発する熱をカバー２に伝導して放熱性を高めることができる。例えば、図１１に示すように、第１ケース３２００とカバー２（のカバー本体２０）との間に配置される熱伝導部材２４によって、電源装置３２０とカバー２を熱的に結合することが好ましい。なお、このような熱伝導部材としては、例えば、パナソニック株式会社製のグラファイトシートが好適である。
【００４８】
照明器具Ｘにおいて、点灯ユニット３は、電源装置３２０と熱的に結合している熱伝導部材２４を備えることが好ましい。熱伝導部材２４は、カバー２と接触していることが好ましい。
【００４９】
照明器具Ｘが上述のように構成されれば、電源装置３２０の放熱性の向上を図ることができる。
【００５０】
（実施形態２）
本発明の実施形態２に係る照明器具ＸＸ（以下、照明器具ＸＸという）について、図１２Ａ〜図１２Ｄ及び図１３を参照して説明する。ただし、照明器具ＸＸは、実施形態１に係る照明器具Ｘと基本的な構成が共通しているので、若干の形状等の相違があっても、同一の機能を有する構成要素には実施形態１に係る照明器具Ｘと同一の符号を付して図示及び説明を省略する。
【００５１】
照明器具ＸＸは、器具本体１をポールに取り付けるためのアーム６の構造に特徴がある。アーム６は、３つの第１固定部６０と、第２固定部６１と、電線固定部材６２とを備えている。第２固定部６１は、実施形態１における第２固定部５１と同様に、円筒形状に形成され、径方向（厚み方向）に貫通する４つのねじ孔６１０が設けられている（図１２Ａ参照）。第２固定部６１は、ポールの先端に設けられている小径部分（図示せず）に上から被せられ、４つのねじ孔６１０にねじ込まれたねじの先端がポールの小径部分に当たることによってポールに固定されている。電線固定部材６２は、実施形態１における電線固定部材５２と同様に、長尺の矩形平板状に形成され、図１２Ａ及び図１２Ｂに示すように、後面に４つのケーブル固定具６２０がねじ止めされている。
【００５２】
３つの第１固定部６０は、第２固定部６１の上端から斜め上向きに突出し、かつ、先端（上端）に向かうに連れて互いに離れるように構成されている。また、３つの第１固定部６０は、概ね三角柱状に形成されている。ただし、３つの第１固定部６０は、口出し線及び信号線が挿通可能な空間を内部に有している。
【００５３】
第１固定部６０の先端面（上端面）には、円筒形状の雌ねじ部６００と、直方体形状のリブ６０１と、矩形の電線挿通孔６０２とが設けられている。雌ねじ部６００は、第１固定部６０の先端面における外寄りの場所から上向きに突出する円筒状の突起（ボス）の内周面に形成されている。リブ６０１は、第１固定部６０の先端面における内寄りの場所から上向きに突出している。電線挿通孔６０２は、第１固定部６０の先端面におけるボス（雌ねじ部６００）とリブ６０１に挟まれた場所に設けられている。
【００５４】
一方、器具本体１は、アーム取付台座に代えて、３つのアーム固定部１６が周壁１１に設けられている。これら３つのアーム固定部１６は、ボルト挿通孔１６００が貫通したボス１６０と、通線孔１６１と、凹部（図示せず）とをそれぞれ有している。ボス１６０は、円筒形状に形成され、器具本体１の周壁１１の内周面において、第１段部１２の上にそれぞれ設けられている（図１３参照）。ボルト挿通孔１６００は、ボス１６０及び周壁１１を上下方向に貫通するようにそれぞれ形成されている。また、通線孔１６１は、ボス１６０の真下において、周壁１１を貫通するようにそれぞれ形成されている。凹部は、周壁１１の外周面において、通線孔１６１の真下に設けられている。
【００５５】
第１固定部６０は、凹部とリブ６０１がかん合されることで周壁１１に位置決めされ、器具本体１のボルト挿通孔１６００に挿通されるボルト（図示せず）が雌ねじ部６００にねじ込まれることで器具本体１に固定されている（図１２Ａ、図１２Ｂ参照）。
【００５６】
照明器具ＸＸは、実施形態１に係る照明器具Ｘと同様に、第１取付部３２２０と取付板３１との間に隙間が設けられているので、光源（ＬＥＤユニット３０）と電源装置３２０との間の熱伝導の抑制を図ることができる。
【符号の説明】
【００５７】
Ｘ、ＸＸ  照明器具
ＳＳ  隙間
１  器具本体
２  カバー
３  点灯ユニット
４  グローブ
１０  窓孔
２３  固定ねじ
２４  熱伝導部材
３０  ＬＥＤユニット
３１  取付板
４０  グローブ本体
４１  外鍔部
３０５  電線
３１０  第１取付面
３１１  第２取付面
３１２  貫通孔
３２０  電源装置
３２２  固定部材
３２２０  第１取付部（取付部）
３２２１  固定部
３２２２  連結部
【図１】
0006667156.tif 000002
【図２】
0006667156.tif 000003
【図３】
0006667156.tif 000004
【図４】
0006667156.tif 000005
【図５】
0006667156.tif 000006
【図６】
0006667156.tif 000007
【図７】
0006667156.tif 000008
【図８】
0006667156.tif 000009
【図９】
0006667156.tif 000010
【図１０】
0006667156.tif 000011
【図１１】
0006667156.tif 000012
【図１２】
0006667156.tif 000013
【図１３】
0006667156.tif 000014